(57)【要約】【課題】ランプピンの表面に酸化膜が形成されているとしてもコンタクトとランプピンとの電気的接続の信頼性を向上することができるランプソケット及び照明器具を提供する。【解決手段】コンタクト２５の挟持部２５ｃでランプピン２ａを挟持する際にランプピン２ａの表面を削り取るように挟持部２５ｃの接触領域２５ｄに設けられているエッジ部２５ｅを具備する。したがって、例えばランプピン２ａの表面に酸化膜が形成されていたとしても、ランプピン２ａと挟持部２５ｃとが摺動する際にエッジ部２５ｅでランプピン２ａの表面を削り取ることにより、コンタクト２５とランプピン２ａとの接触抵抗が高くなることを抑制する。【選択図】図５
2004071337.tif 000002
【特許請求の範囲】
【請求項１】
挿入されるランプピンを径方向両側から弾性的に挟持し、かつ、ランプピンの表面と接触する略平板形状の一対の挟持片からなる挟持部が形成されているコンタクトと；
コンタクトを収納する収納部を有するとともに、ランプピンが挿入され、かつ、コンタクトの挟持部と対向するように設けられるランプピン挿入孔が形成されているソケット本体と；
コンタクトの挟持部でランプピンを挟持する際にランプピンのピン表面部を少なくとも削り取るように挟持部に設けられている削取手段と；
を具備することを特徴とするランプソケット。
【請求項２】
削取手段は、挟持部の一部を切り欠くことによって設けられていることを特徴とする請求項１記載のランプソケット。
【請求項３】
削取手段は、挟持部に切起し部を形成することによって設けられていることを特徴とする請求項１記載のランプソケット。
【請求項４】
照明器具本体と；
照明器具本体に設けられる請求項１ないし３いずれか一記載のランプソケットと；
ランプソケットに取着されるランプと；
を具備することを特徴とする照明器具。
【発明の詳細な説明】
【０００１】
【発明の属する技術分野】
本発明は、ランプソケットおよびランプソケットが設けられる照明器具に関する。
【０００２】
【従来の技術】
従来、ランプである蛍光ランプ等を支持するランプソケットの中には、挿入されるランプピンを径方向両側から弾性的に挟持し、かつ、ランプピンの表面と接触する挟持部が形成されているコンタクトを収容するソケット本体が使用されるものがある。このようなソケットは、例えば、蛍光ランプのランプピンを照明器具本体に設けられたソケットのランプピン挿入孔に挿入して蛍光ランプを取着するために用いられるものであり、このようなランプソケットとして特開平１１−５３９２７号広報に記載されたものが知られている。
【０００３】
この従来技術は、コンタクトが内蔵された差込式のランプソケットにおいて、このソケットが有する合成樹脂製のソケットボディにその周面から一体に突出する係止爪を設け、ランプソケットを収容するソケット取付け筒部を有したソケット台に爪受け部を設ける。この爪受け部に係止爪を引っ掛けて、ソケット取付け筒部の所定収容位置に収容されたランプソケットを固定し、それにより、ランプ取外しに伴うランプソケットの引き出しを防止するというものである。
【０００４】
【従来の技術】
しかしながら、このような従来技術は、表面に酸化膜が形成されているランプピンであると、コンタクトとランプピンとを接触させ挟持させる際にランプピンの表面と略点接触となるように形成されている挟持部に摺動するようにランプピンを挿入するのみであるので、コンタクトとランプピンとの接触抵抗が高くなり、電気的接続が不充分となってしまい、場合によってはランプの不点の要因となる虞もあった。
【０００５】
本発明は上記に鑑みなされたものであり、コンタクトとランプピンとの電気的接続の信頼性をより向上することができるランプソケット及び照明器具を提供することを目的とする。
【０００６】
【課題を解決するための手段】
請求項１記載のランプソケットは、挿入されるランプピンを径方向両側から弾性的に挟持し、かつ、ランプピンの表面と接触する略平板形状の一対の挟持片からなる挟持部が形成されているコンタクトと；コンタクトを収納する収納部を有するとともに、ランプピンが挿入され、かつ、コンタクトの挟持部と対向するように設けられるランプピン挿入孔が形成されているソケット本体と；コンタクトの挟持部でランプピンを挟持する際にランプピンのピン表面部を少なくとも削り取るように挟持部に設けられている削取手段と；を具備することを特徴とする。
【０００７】
本願発明のランプソケットは、まず、ソケット本体のランプピン挿入孔と挟持部が対向するようにコンタクトをランプソケット本体に収納する。そして、このソケット本体のランプピン挿入孔に蛍光ランプ等のランプピンを挿入する。すると、ランプピンはランプピン挿入孔からランプピンの径方向両側から弾性的に挟持する略平板形状からなる一対の挟持片からなるコンタクトの挟持部へ挿通され、かつ、挟持部とランプピンの表面とが摺動するようにランプピンが挿入されることによりコンタクトとランプピンとが挟持されるとともにコンタクトとランプピンとが電気的に接続される。なお、挟持部とランプピンの表面とが摺動する際には、挟持部に形成されている削取手段により、ランプピンの表面が削り取られながらランプピンは挿入される。
【０００８】
請求項１記載の発明によれば、挿入されるランプピンを径方向両側から弾性的に挟持し、かつ、ランプピンの表面と接触する略平板形状の一対の挟持片からなる挟持部が形成されているコンタクトと；コンタクトを収納する収納部を有するとともに、ランプピンが挿入され、かつ、コンタクトの挟持部と対向するように設けられるランプピン挿入孔が形成されているソケット本体と；コンタクトの挟持部でランプピンを挟持する際にランプピンのピン表面部を少なくとも削り取るように挟持部に設けられている削取手段と；を具備することにより、例えばランプピンの表面に酸化膜が形成されていたとしても、コンタクトの削取手段でランプピン表面を削り取ることにより、コンタクトとランプピンとの接触抵抗が高くなることを抑制し、コンタクトとランプピンとの電気的接続の信頼性を向上することができる。
【０００９】
請求項２のランプソケットによれば、請求項１記載のランプソケットにおいて、削取手段は、挟持部の一部を切り欠くことによって設けられていることを特徴とする。
【００１０】
請求項２の発明によれば、コンタクトとランプピンとの電気的接続の信頼性を向上することをより容易に実現することができる。
【００１１】
請求項３のランプソケットによれば、請求項１記載のランプソケットにおいて、削取手段は、挟持部に切起し部を形成することによって設けられていることを特徴とする。
【００１２】
請求項３の発明によれば、コンタクトとランプピンとの電気的接続の信頼性を向上することをより容易に実現することができる。
【００１３】
また、削取手段は切起しによって形成されているので、より確実にランプソケットの表面を削り取りやすくなっているので、より確実にコンタクトとランプピンとの電気的接続の信頼性を向上することができる。
【００１４】
請求項４の照明器具によれば、照明器具本体と；照明器具本体に設けられる請求項１ないし３いずれか一記載のランプソケットと；ランプソケットに取着されるランプと；を具備することを特徴とする。
【００１５】
請求項４の照明器具によれば、請求項１ないし３いずれか一記載の作用効果を有する。
【００１６】
【発明の実施の形態】
本発明の実施形態を図面を参照して説明する。
図１は本発明の実施形態である照明器具を示す斜視図、図２は同じくランプソケットである蛍光ランプソケットの取付構造を示す斜視図、図３は蛍光ランプソケットの断面図である。
【００１７】
照明器具本体１は、天井等の取付け面に固定される図示しないシャーシにこれを覆い隠して取付けられる反射体１ａが形成されている。このシャーシには点灯装置等の電気部品が取付けられている。
【００１８】
また、反射体１ａの長手方向両端部には直管形蛍光ランプ２の両端が取外し可能に支持される露出形のランプ支持装置３が夫々設けられている。
【００１９】
なお、これら支持装置３は図１に示す１灯式の場合には一組設けられるが、本発明を多灯式蛍光灯照明器具に適用する場合には、多数組の露出形のランプ支持装置３が設けられる。
【００２０】
また、各ランプ支持装置３は、ソケット台４と、差込み形の蛍光ランプソケット５とを具備している。
【００２１】
ソケット台４は、合成樹脂又は軽金属の一体成形品からなり、このソケット台４は、スタンド部１１と、ソケット取付け筒部１２とを備えている。このスタンド部１１は、図２に示したようにスタンドベース１３にスタンド柱１４を一体に突設してなり、スタンド柱１４の先端にソケット取付け筒部１２が一体に形成されている。
【００２２】
また、スタンド部１１は、そのスタンドベース１３の裏面部に設けた複数の位置決め突起１５を反射体１ａに設けた図示しない位置決め用の小孔に挿入した状態で、反射体１ａを下方に貫通してスタンドベース１３の裏面部に一体に設けた複数のねじ受け穴１６に夫々図示しないねじをねじ込むことにより、反射体１の下面に装着される。スタンド柱１４は中空であって、その中空部はリード線通路１４ａとして利用される。なお、この通路１４ａの一端は、それに対応して反射体１の下面に開口された図示しない通孔に反射体１ａへの装着状態において連通されるようになっている。
【００２３】
ソケット取付け筒部１２は、前端が開口されるとともに後端が閉じられた円筒形状をなしていて、その軸線をスタンド柱１４の軸線と直角にした水平な姿勢に設けられている。また図２に示したように、ソケット取付け筒部１２の内面には、この筒部１２の軸方向に延びる一対の第１リブ１８と一対の第２リブ１９とが、例えば９０°毎に一体に形成されている。これら各リブ１８、１９は、その長手方向略中央部に位置決め用の段差１８ａ等を有しているとともに、これら段差１８ａ等を境に前側の方が後側よりも幅が狭く形成されている。
【００２４】
蛍光ランプソケット５は、図３に示したようにソケット本体であるソケットボディ２１、ソケット後蓋２２及び作動体２４と、一対の端子金具２３と、一対のコンタクト２５と、一対の導電性コイルばね２６とを備えている。
【００２５】
合成樹脂製のソケットボディ２１は、一端に長方形状の通孔３１を有するとともに他端が開口された略円筒形状をなしている。同じく合成樹脂製のソケット後蓋２２はソケットボディ２１にその他端開口を塞いでねじ（図示しない）により固定されている。これらソケットボディ２１とソケット後蓋２２とがなすソケット筐体の外周面には、第１リブ１８に嵌合される一対の溝条３３が、ソケットボディ２１の軸方向に延びて設けられている。ソケット後蓋２２の内面には両端子金具２３が互いに絶縁されて取付けられている。これらの端子金具２３にはソケットボディ２１内においてリード線３４が接続されており、これらのリード線３４はソケットボディ２１の外部に引出されている。
【００２６】
合成樹脂製の作動体２４は、通孔３１に通されてソケットボディ２１に摺動可能に収容されている。この作動体２４のソケットボディ２１外に位置される前端壁には一対のランプピン挿入孔２４ａが設けられ、又、ソケットボディ２１内に位置される他端は開口されている。一対のコンタクト２５は作動体２４内の収納部２４ｂに収納されている。これらのコンタクト２５は導電性板ばねを折り曲げてなるものであって、図３に示されるように一対のコンタクト片２５ａとこれらを一体につなぐコンタクトベース部２５ｂとを有している。両コンタクト２５は、自由状態では一対のコンタクト片２５ａの先端部が自己の弾性力で互いに接し合うような巾着形状を保持するものであり、これらはランプピン挿入孔２４ａと対向して作動体２４内に一体に設けた取付け軸３５に、コンタクトベース部２５ｂに開けた図示しない取付け孔を嵌着して取付けられている。また、コイルばね２６は、その両端を端子金具２３とコンタクトベース部２５ｂとに接してソケットボディ２１と作動体２４とにわたって収容されていて、作動体２４を常に通孔３１から突出する方向に付勢している。
【００２７】
そして、図２に示されるようにソケットボディ２１の外周面には、リード線３３の引出し方向に突出して係止爪３７が一体に設けられている。この爪３７は図示しない爪受け部に引っ掛けられて蛍光ランプソケット５をソケット取付け筒部１２に固定するものである。
【００２８】
ここで、コンタクト２５とランプピン２ａとについて図を用いて説明する。
【００２９】
図４は本実施形態のコンタクトとランプピンとの接触状態を示す要部拡大上面図、図５は同じくコンタクトとランプピンとの接触状態を示す要部拡大側面図である。
【００３０】
図４に示したように、コンタクト片２５ａには、平板形状であり、かつ、口金２ｂから突出して設けられているランプピン２ａをその径方向両側から弾性的に挟持する一対の挟持片からなる挟持部２５ｃが形成されており、この挟持部２５ｃはランプピン２ａの表面と接触するようになっている。
【００３１】
また、図５に示したように、挟持部２５ｃにはランプピン２ａと接触する接触領域２５ｄの一部を切り欠き、エッジ部２５ｅがランプピン２ａと接触するように設けられている。
【００３２】
また、エッジ部２５ｅはランプピン２ａの挿入方向に対して直交する方向に２箇所形成されるように接触領域２５ｄに形成されている。
【００３３】
本実施形態は、まず、蛍光ランプソケット５の後部から引出されている２本のリード線３４を、ソケット台４のソケット取付け筒部１２の前端開口より導入して、スタンド柱１４のリード線通路１４ａに通して、その一端開口１４ａ１から引出す。次に、蛍光ランプソケット５を、そのソケット裏蓋２２側を先頭にして、リード線３４の引出しを伴いながらソケット取付け筒部１２にその前端開口を通して収容する。
【００３４】
そして、蛍光ランプソケット５の溝条３３はソケット取付け筒部１２内の第１リブ１８に嵌合されるので、蛍光ランプソケット５はその作動体２４が水平な姿勢を保って挿入される。この挿入に伴い、ソケットボディ２１と一体の係止爪３７がの弾性変形されながら、ソケット取付け筒部１２の内側に潜り込んで挿入され、この挿入に伴いソケット取付け筒部１２の内面を摺動する。そして、蛍光ランプソケット５が所定の収容位置まで挿入されると、ソケット台４の図示しない爪受け部へ引っ掛けられ、ランプ支持装置３が設けられる。
【００３５】
さらに、ランプ支持装置３へ蛍光ランプ２のランプピン２ａをランプピン挿入孔２４ａへ挿入することによって、照明器具本体１へ蛍光ランプ２が設けられ照明器具１０が形成される。なお、蛍光ランプ２が蛍光ランプソケット５のランプピン挿入孔２４ａへ挿入される際には、ランプピン２ａはランプピン挿入孔２４ａからランプピン２ａの径方向両側から弾性的に挟持する一対のコンタクト２５の挟持部２５ｃへ挿通され、かつ、挟持部２５ｃとランプピン２ａの表面とが摺動するようにランプピン２ａが挿入される。また、挟持部２５ｃとランプピン２ａの表面とが摺動する際には、挟持部２５ｃに形成されているエッジ部２５ｅにより、ランプピン２ａの表面が削り取られながらランプピン２ａが挿入される。
【００３６】
本実施形態によれば、コンタクト２５の挟持部２５ｃでランプピン２ａを挟持する際にランプピン２ａの表面を削り取るように挟持部２５ｃの接触領域２５ｄに設けられているエッジ部２５ｅを具備することにより、例えばランプピン２ａの表面に酸化膜が形成されていたとしても、ランプピン２ａと挟持部２５ｃとが摺動する際にエッジ部２５ｅでランプピン２ａの表面を削り取ることにより、ランプピン２ａの表面の酸化膜を削り取り、導電性を具備するランプピン２ａの表面部を露出させることができるので、結果的にコンタクト２５とランプピン２ａとの接触抵抗が高くなることを抑制し、コンタクト２５とランプピン２ａとの電気的接続の信頼性を向上することができる。
【００３７】
また、ランプピン２ａの表面を削り取る削取手段をエッジ部２５ｅで構成できるので、コンタクト２５とランプピン２ａとの電気的接続の信頼性を向上することをより容易に実現することができる。
【００３８】
また、エッジ部２５ｅは、ランプピン２ａの挿入方向に対して直交する方向に２箇所形成されるように接触領域２５ｄに形成されているので、ランプピン２ａと挟持部２５ｃとが摺動する際にエッジ部２５ｅでランプピン２ａの表面を削り取ることことをより確実にできるので、コンタクト２５とランプピン２ａとの接触抵抗が高くなることをより確実に防ぐことができる。
【００３９】
なお、本実施形態では挟持部２５ｃの一部を切り欠いたエッジ部２５ｅにより削取手段を形成しているが、切り欠きではなく、ランプピン２ａと挟持部２５ｃとの摺動方向とは反対側に切り起こされ、かつ、一対の挟持片の内側方向へ切り起こされた切り起こし片を接触領域２５ｄに設けることによっても形成することができ、このような場合には、ランプピン２ａの表面をより削り取りやすくなっており、さらに確実にコンタクトとランプピンとの電気的接続の信頼性を向上することができる。
【００４０】
【発明の効果】
請求項１の発明によれば、挿入されるランプピンを径方向両側から弾性的に挟持し、かつ、ランプピンの表面と接触する挟持部が形成されているコンタクトと；コンタクトを収納する収納部を有するとともに、ランプピンが挿入され、かつ、コンタクトの挟持部と相対するように設けられるランプピン挿入孔が形成されているソケット本体と；コンタクトの挟持部でランプピンを挟持する際にランプピンのピン表面部を少なくとも削り取るように挟持部に設けられている削取手段と；を具備することにより、例えばランプピンの表面に酸化膜が形成されていたとしても、コンタクトの削取手段でランプピン表面を削り取ることにより、コンタクトとランプピンとの接触抵抗が高くなることを抑制するので、コンタクトとランプピンとの電気的接続の信頼性を向上することができる。
【００４１】
請求項２の発明によれば、コンタクトとランプピンとの電気的接続の信頼性を向上することをより容易に実現することができる。
【００４２】
請求項３の発明によれば、削取手段は切起しによって形成されているので、より確実にランプソケットの表面を削り取りやすくなっているので、より確実にコンタクトとランプピンとの電気的接続の信頼性を向上することができる。
【００４３】
請求項４の照明器具によれば、請求項１ないし３いずれか一記載の作用効果を有する。
【図面の簡単な説明】
【図１】本発明の実施形態である照明器具を示す斜視図
【図２】同上ランプソケットである蛍光ランプソケットの取付構造を示す斜視図
【図３】同上蛍光ランプソケットの断面図
【図４】同上コンタクトとランプピンとの接触状態を示す要部拡大上面図
【図５】同上コンタクトとランプピンとの接触状態を示す要部拡大側面図
【符号の説明】
１・・・照明器具本体
５・・・ランプソケットである蛍光ランプソケット
１０・・・照明器具
２１・・・ソケットボディ
２２・・・ソケット後蓋
２４・・・作動体
２５・・・コンタクト
２５ｅ・・・削取手段であるエッジ部
【図１】
2004071337.tif 000003
【図２】
2004071337.tif 000004
【図３】
2004071337.tif 000005
【図４】
2004071337.tif 000006
【図５】
2004071337.tif 000007